(57)【要約】【課題】既存の汎用品を利用でき、容易且つ低コストで浴槽をスライド移動させること。【解決手段】浴槽３と防水床パン１１との間に着脱自在に設置されるものであって、浴槽の長手方向Ｌ１に沿って延在するように形成され、浴槽の脚部４０が摺動可能に載置されて該浴槽を長手方向にスライド移動可能とさせる長尺なレール部３０と、該レール部に一体的に連結され、防水床パンの周壁部２１に密接されてレール部を防水床パンに対して位置決めさせる密接部３１と、を備え、レール部が、防水床パンに形成された水平床面３３上に載置されるように位置決めされ、全長に亘って上面が水平に維持されている浴槽用スライドレール３０を提供する。【選択図】図３
2010268890.tif 000002
【特許請求の範囲】
【請求項１】
浴槽と防水床パンとの間に着脱自在に設置される浴槽用スライドレールであって、
前記浴槽の長手方向に沿って延在するように形成され、浴槽の脚部が摺動可能に載置されて該浴槽を長手方向にスライド移動可能とさせる長尺なレール部と、
該レール部に一体的に連結され、前記防水床パンの周壁部に密接されてレール部を防水床パンに対して位置決めさせる密接部と、を備え、
前記レール部は、前記防水床パンに形成された水平床面上に載置されるように位置決めされ、全長に亘って上面が水平に維持されていることを特徴とする浴槽用スライドレール。
【請求項２】
浴槽と防水床パンとの間に着脱自在に設置される浴槽用スライドレールであって、
前記浴槽の長手方向に沿って延在するように形成され、浴槽の脚部が摺動可能に載置されて該浴槽を長手方向にスライド移動可能とさせる長尺なレール部と、
該レール部に一体的に連結され、前記防水床パンに形成された水平床面上に載置されてレール部の上面を全長に亘って水平に維持させる載置部と、
前記レール部に一体的に連結され、前記防水床パンの周壁部に密接されてレール部を防水床パンに対して位置決めさせる密接部と、を備えていることを特徴とする浴槽用スライドレール。
【請求項３】
防水床パンと、
該防水床パン上に着脱自在に設置された請求項１又２に記載の浴槽用スライドレールと、
スライド移動可能に前記レール部上に載置された浴槽と、を備えていることを特徴とする浴室。
【発明の詳細な説明】
【技術分野】
【０００１】
本発明は、浴槽をスライド移動させて、浴槽の位置を変更するための浴槽用スライドレール及びこれを有する浴室に関するものである。
【背景技術】
【０００２】
現在、住宅や各種施設等において、要介助者（身障者や高齢者等）を介助するための様々な設備が設置されている。その１つとして、要介助者の身体特性に応じて浴槽の位置を変更することができる浴室が知られている（特許文献１参照）。
【０００３】
一般的に、要介助者を介助しながら入浴させる場合には、その身体特性に応じて介助の仕方を変える必要がある。例えば、麻痺が原因で介助が必要な場合、要介助者が一部麻痺か或いは全身麻痺かによって、介助方向を変える必要がある。従って、介助方向に応じて、浴槽の位置を変更したいというニーズがあった。特に、複数人での介助が必要な場合には、２方向介助或いは３方向介助等となるので、浴槽の位置を介助に最適な位置に変更したいというニーズがあった。
【０００４】
上記浴室は、このようなニーズに応えることができるものであり、浴槽配置用床を有する防水床パンと、脚部に低摩擦材が取り付けられた浴槽と、を備えており、使用者側で浴槽配置用床上に載置された浴槽を滑らせながらスライド移動させ、任意の位置に浴槽を配置することが可能とされている。
【先行技術文献】
【特許文献】
【０００５】
【特許文献１】特開２００４−１７３７０３号公報
【発明の概要】
【発明が解決しようとする課題】
【０００６】
しかしながら、この浴室を構成する防水床パンや浴槽は、一般的な浴室に用いられる汎用品ではなく、スライド移動を実現するために設計された専用品である。特に、スライド移動によって浴槽を任意の位置に変更した際、どの位置に変更したとしても、浴槽高さを一定にする必要がある。従って、浴槽及び該浴槽が設置される防水床パンを、それぞれ専用のものに取り替える必要があった。
よって、どうしても大掛かりな改装が必要となってしまい、手間がかかるうえコスト高を招くものであった。
【０００７】
この発明は、このような事情を考慮してなされたもので、その目的は、既存の汎用品を利用でき、容易且つ低コストで浴槽をスライド移動させることができる浴槽用スライドレール及びこれを有する浴室を提供することである。
【課題を解決するための手段】
【０００８】
上記の目的を達成するために、この発明は以下の手段を提供している。
請求項１に係る浴槽用スライドレールは、浴槽と防水床パンとの間に着脱自在に設置される浴槽用スライドレールであって、前記浴槽の長手方向に沿って延在するように形成され、浴槽の脚部が摺動可能に載置されて該浴槽を長手方向にスライド移動可能とさせる長尺なレール部と、該レール部に一体的に連結され、前記防水床パンの周壁部に密接されてレール部を防水床パンに対して位置決めさせる密接部と、を備え、前記レール部が、前記防水床パンに形成された水平床面上に載置されるように位置決めされ、全長に亘って上面が水平に維持されていることを特徴とする。
【０００９】
請求項２に係る浴槽用スライドレールは、浴槽と防水床パンとの間に着脱自在に設置される浴槽用スライドレールであって、前記浴槽の長手方向に沿って延在するように形成され、浴槽の脚部が摺動可能に載置されて該浴槽を長手方向にスライド移動可能とさせる長尺なレール部と、該レール部に一体的に連結され、前記防水床パンに形成された水平床面上に載置されてレール部の上面を全長に亘って水平に維持させる載置部と、前記レール部に一体的に連結され、前記防水床パンの周壁部に密接されてレール部を防水床パンに対して位置決めさせる密接部と、を備えていることを特徴とする。
【００１０】
請求項３に係る浴室は、防水床パンと、該防水床パン上に着脱自在に設置された請求項１又は２に記載の浴槽用スライドレールと、スライド移動可能に前記レール部上に載置された浴槽と、を備えていることを特徴とする。
【発明の効果】
【００１１】
（１）請求項１に係る発明によれば、浴槽用スライドレールを防水床パン上にセットするだけの簡便な方法で浴槽をスライド移動させることができる。
具体的に説明すると、浴槽を取り外した防水床パン上に浴槽用スライドレールをセットする。すると、密接部が防水床パンの周壁部に密接するので、レール部の位置が固定され、防水床パンに対して位置決めされた状態となる。しかもこのときレール部は、防水床パンに予め形成されている水平床面上に載置される。これにより、浴槽の長手方向に沿って延在するように形成された長尺なレール部の上面が、全長に亘って水平に維持された状態になる。従って、防水床パン上に浴槽用スライドレールを単にセットするだけの簡便な方法で、レール部をがたつかせることなく、しかも、レール部の上面が全長に亘って水平となるように設置することができる。
【００１２】
そして、浴槽用スライドレールを設置した後、浴槽の脚部をレール部上に載置して、該浴槽を浴槽用スライドレール上にセットする。
この際、浴槽の脚部は、レール部の上面に摺動可能に載置されるので、浴槽を持ち上げることなく長手方向に浴槽をスライド移動させて、浴槽の位置を所望する位置に容易且つ速やかに動かすことができる。しかも、レール部の上面は、全長に亘って水平に維持されているので、浴槽をスライド移動させる際に、浴槽高さを常に一定にした状態にすることができる。
【００１３】
また、浴槽用スライドレールを防水床パン上にセットするだけであるので、手間をかけることなく容易に浴槽のスライド移動を実現することができるうえ、従来ある既存の浴槽や防水床パンをそのまま利用することができる。従って、低コストで浴槽のスライド移動を実現することができる。更に、浴槽を変更したり、交換したりする場合等には、浴槽用スライドレールを容易に防水床パン上から撤去することができるので、利便性に優れている。
【００１４】
（２）請求項２に係る発明によれば、浴槽用スライドレールを防水床パン上にセットするだけの簡便な方法で浴槽をスライド移動させることができる。
具体的に説明すると、浴槽を取り外した防水床パン上に浴槽用スライドレールをセットする。すると、密接部が防水床パンの周壁部に密接するので、レール部の位置が固定され、防水床パンに対して位置決めされた状態となる。また、セットした際に、載置部は防水床パンに予め形成されている水平床面上に載置される。これにより、浴槽の長手方向に沿って延在するように形成された長尺なレール部の上面が、全長に亘って水平な状態になる。従って、防水床パン上に浴槽用スライドレールを単にセットするだけの簡便な方法で、レール部をがたつかせることなく、しかも、レール部の上面が全長に亘って水平となるように設置することができる。
【００１５】
そして、浴槽用スライドレールを設置した後、浴槽の脚部をレール部上に載置して、該浴槽を浴槽用スライドレール上にセットする。
この際、浴槽の脚部は、レール部の上面に摺動可能に載置されるので、浴槽を持ち上げることなく長手方向に浴槽をスライド移動させて、浴槽の位置を所望する位置に容易且つ速やかに動かすことができる。しかも、レール部の上面は、全長に亘って水平に維持されているので、浴槽をスライド移動させる際に、浴槽高さを常に一定にした状態にすることができる。
【００１６】
また、浴槽用スライドレールを防水床パン上にセットするだけであるので、手間をかけることなく容易に浴槽のスライド移動を実現することができるうえ、従来ある既存の浴槽や防水床パンをそのまま利用することができる。従って、低コストで浴槽のスライド移動を実現することができる。更に、浴槽を変更したり、交換したりする場合等には、浴槽用スライドレールを容易に防水床パン上から撤去することができるので、利便性に優れている。
【００１７】
（３）請求項３に係る発明によれば、浴槽用スライドレールを備えているので、従来ある既存の浴槽や防水床パンをそのまま利用しながら、容易且つ低コストで浴槽のスライド移動を実現することができる。特に、従来のように大掛かりな改装が不要であるので、非常に利便性に優れている。
【図面の簡単な説明】
【００１８】
【図１】本発明に係る浴室の一実施形態を示す図であって、浴室内を上方から見た図である。
【図２】図１に示す浴槽及びバスボードの斜視図である。
【図３】図１に示す断面矢視Ａ−Ａ図である。
【図４】図１に示す断面矢視Ｂ−Ｂ図である。
【図５】図３に示す防水床パンの上面図である。
【図６】図３に示す浴槽用スライドレールの上面図である。
【図７】図６に示す断面矢視Ｃ−Ｃ図である。
【図８】図６に示す断面矢視Ｄ−Ｄ図である。
【図９】防水床パン上に浴槽用スライドレールを設置した状態の上面図である。
【図１０】図９に示す状態から、浴槽用スライドレール上に浴槽を載置した状態の上面図である。
【図１１】図２に示す状態から、バスボードを取り外した状態を示す図である。
【図１２】図１１に示す状態から、浴槽を右側にスライド移動させた後、床ボードを取り付けた状態を示す図である。
【図１３】図１２に示す状態から、床ボード上にバスボードを取り付けた状態を示す図である。
【発明を実施するための形態】
【００１９】
以下、本発明に係る浴室の一実施形態について、図１から図１３を参照して説明する。
本実施形態の浴室１は、図１及び図２に示すように、洗い場床２と、洗い場床２に隣接配置され、長手方向（矢印Ｌ１方向）にスライド移動可能な浴槽３と、浴槽３の片側に配置されたバスボード４と、これら洗い場床２、浴槽３及びバスボード４を３方から囲む側壁パネル５と、洗い場床２に出入りする出入扉６と、図示しない天井パネルと、で主に構成されている。
【００２０】
なお、図１は、浴室１内を天井パネル側から見た上面図である。図２は、図１に示す浴槽３及びバスボード４の斜視図である。また、浴室１内に通常設置される水栓やシャワー等に関しては図示を省略している。
また、これら図１及び図２に示すように、本実施形態では出入扉６を引き戸タイプとして図示しているが、この場合に限定されず折戸タイプや開き戸タイプでも構わない。
また、本実施形態では３つの側壁パネル５のうち、出入扉６に対向するパネルを奥側パネル５ａといい、更に、出入扉６から奥側パネル５ａに向かって左側のパネルを左側パネル５ｂ、右側のパネルを右側パネル５ｃという。
また、単に左側というときは出入扉６から奥側パネル５ａに向かって左方向を指し、単に右側というときは出入扉６から奥側パネル５ａに向かって右方向を指すものとする。
【００２１】
洗い場床２は、平面視矩形状とされた床であり、該洗い場床２と奥側パネル５ａとの間に浴槽３が配設されている。この浴槽３は、図３及び図４に示すように、防水床パン１１上に着脱自在に設置された浴槽用スライドレール１２のレール部３０上に、スライド移動可能に載置されている。
なお、図３は、図１に示す矢印Ａ−Ａ線に沿った断面図である。図４は、図１に示す矢印Ｂ−Ｂ線に沿った断面図である。
【００２２】
続いて、浴室１を構成する各構成品について、詳細に説明する。
はじめに、防水床パン１１について図３から図５を参照して説明する。なお、図５は、防水床パン１１の上面図である。
この防水床パン１１は、底壁部２０と、該底壁部２０の周縁から上方に向けて立ち上がるように連設された周壁部２１と、を備えており、洗い場床２の上面よりも一段低い落とし込み構造とされた浴槽配置用床１０上に固定されている。この際、防水床パン１１は、浴槽配置用床１０を全体的に覆うサイズの平面視矩形状に形成されている。
【００２３】
なお、本実施形態では、防水床パン１１が浴槽配置用床１０上に固定されている場合を例に挙げて説明しているが、この場合に限定されず、例えば、防水床パン１１と洗い場床２とが一体的に形成された浴室床構造であっても構わない。
【００２４】
底壁部２０は、排水口２２に向かってお湯等の流体が流れ込むように適宜傾斜している。また、この底壁部２０には、上面が水平になるように調整された４つの床フラット面（水平床面）２３が上記傾斜に影響されることなく形成されている。つまり、これら４つの床フラット面２３は、全て高さが均一とされているうえ、水平状態に維持されている。
なお、４つの床フラット面２３は、防水床パン１１の短手方向（矢印Ｌ２方向）に間隔を開けた状態で、排水口２２を挟んで両側に位置するように長手方向（矢印Ｌ１方向）に沿って形成されている。
【００２５】
周壁部２１は、底壁部２０の周縁から上方に向けて、適宜傾斜或いは湾曲しながら立ち上がるように形成されており、上端部が洗い場床２の上面よりも上方に突出し、且つ、奥側パネル５ａ、左側パネル５ｂ及び右側パネル５ｃの内側に入り込むように設計されている。また、周壁部２１の一部には、図示しない各種配管等を挿通させることが可能な挿通孔２４が設けられている。
【００２６】
続いて、浴槽用スライドレール１２について、図６から図８を参照して説明する。
なお、図６は、浴槽用スライドレール１２の上面図である。図７は、図６に示す浴槽用スライドレール１２を切断線Ｃ−Ｃに沿って見た一部断面図である。図８は、図６に示す浴槽用スライドレール１２を切断線Ｄ−Ｄに沿って見た一部断面図である。
【００２７】
この浴槽用スライドレール１２は、互いに平行配置された２本のレール部３０と、該レール部３０に一体的に連結され、防水床パン１１の周壁部２１の内面に離脱可能に嵌合されて隙間無く密接し、レール部３０を防水床パン１１に対して位置決めさせるプレート体（密接部）３１と、で主に構成されている。
【００２８】
レール部３０は、防水床パン１１の長手方向でもある浴槽３の長手方向（矢印Ｌ１方向）に沿って延在するように形成された長尺な部材である。本実施形態のレール部３０は、ステンレス製の角パイプにより形成されており、防水床パン１１の短手方向でもある浴槽３の短手方向（矢印Ｌ２方向）に間隔を開けて平行に配置されている。この際、２本のレール部３０は、後述する浴槽３の４つの脚部４０が全て載置されるように、脚部４０の配置に合わせて平行に配置されている。このレール部３０によって、浴槽３は長手方向にスライド移動が可能とされている。
なお、２本のレール部３０のうち、一方のレール部３０は一本の角パイプからなり、他方のレール部３０は２本の角パイプを溶接等により繋ぎ合せて形成されている。但し、この場合に限定されるものではない。
【００２９】
しかも、本実施形態では、図９に示すように、浴槽用スライドレール１２を防水床パン１１上に設置した際に、２本のレール部３０が４つの床フラット面２３上に載置されるように設計されている。なお、図９は、防水床パン１１上に浴槽用スライドレール１２を設置した状態を上方から見た図である。
このように、床フラット面２３上に載置されることで、２本のレール部３０は共に高さが均一であるうえ、上面が全長に亘って水平に維持されるようになっている。
【００３０】
ところで、２本のレール部３０は、防水床パン１１の短手方向（矢印Ｌ２方向）に延在した２本の連結部３２によって互いに連結されている。なお、２本の連結部３２は、防水床パン１１の長手方向（矢印Ｌ１方向）に離間しており、それぞれ床フラット面２３の上方に位置するように設計されている。
【００３１】
また、２本のレール部３０の両端部と外側面とには、それぞれ外方に向けて突出すると共に、先端が防水床パン１１の周壁部２１の形状に倣って（フィットするように）折り曲げ加工されたプレート体３１が溶接等により連結されている。
このプレート体３１は、ステンレス製の平板やＣ型鋼を利用して形成された部材であり、浴槽用スライドレール１２を防水床パン１１上に設置した際に、防水床パン１１の周壁部２１の内面に折り曲げ加工された先端が密接するようになっている。これにより、浴槽用スライドレール１２は、機械的な固定をせずとも、水平方向に位置ずれすることなく防水床パン１１に対して位置決めされた状態となる。つまり、２本のレール部３０は、確実に床フラット面２３上に載置された状態で位置決めされるようになっている。
【００３２】
なお、２本のレール部３０の外側面に連結されたプレート体３１は、レール部３０を挟んで連結部３２の反対側に位置するように設けられている。但し、プレート体３１の位置は、この位置に限定されるものではなく、自由に設計して構わない。
【００３３】
また、２本のレール部３０の上面は、全長に亘って鏡面仕上げ加工されている。鏡面仕上げ加工の手法としては、例えば、機械的な研磨加工でも構わないし、コーティング等を施すことで鏡面に形成しても構わない。
更に、本実施形態の浴槽用スライドレール１２には、防水床パン１１と接する箇所に滑り止めシート３３が取り付けられている。具体的には、レール部３０の下面、特に床フラット面２３に接する箇所や、プレート体３１に滑り止めシート３３が取り付けられている。滑り止めシート３３としては、例えば、ＥＰＤＭゴム（エチレンプロピレンジエンゴム）等のゴムシートである。
【００３４】
続いて、浴槽３について、図２から図４及び図１０を参照して説明する。なお、図１０は、防水床パン１１上に設置された浴槽用スライドレール１２上に浴槽３を設置した状態を上方から見た図である。
浴槽３は、防水床パン１１よりも長手方向の長さが短い平面矩形状に形成されている。つまり、浴槽３を右側或いは左側のいずれの方向にスライド移動させたとしても、側方に空間が確保されるようになっている。
浴槽３の底部には、下方に突出した４つの脚部４０が形成されている。そして、浴槽３は、これら４つの脚部４０を介して２本のレール部３０の上面に摺動可能に載置されるようになっている。これにより、浴槽３を載置したままの状態であっても、レール部３０に沿って該浴槽３を長手方向（矢印Ｌ１方向）に沿ってスライド移動させることが可能とされている。
【００３５】
ところで、本実施形態の脚部４０には、滑りプレート４１がネジや接着等により取り付けられており、該滑りプレート４１を介して脚部４０がレール部３０上に載置されている。この滑りプレート４１としては、例えば、低摩擦材であるテフロン（登録商標）や低密度ポリエチレンシート等である。
【００３６】
また、図３に示すように、浴槽３のかまち４２の外縁は、下方に向けて垂下しており、この垂下した部分にそれぞれサイドパネル４３及びフロントパネル４４が固定されている。サイドパネル４３は、右側パネル５ｃ及び左側パネル５ｂにそれぞれ対向するように取り付けられており、浴槽３の側面を覆って保護している。また、浴槽３を右側或いは左側のいずれの方向にスライド移動させたとしても、浴槽３の側面が露出しないようになっている。
また、図２及び図４に示すように、フロントパネル４４は、洗い場床２側に対向するように取り付けられている。なお、フロントパネル４４の下方には、防水床パン１１に固定されたフロント下カバー４５が配設されている。
【００３７】
また、図４に示すように、奥側パネル５ａ側において、浴槽３のかまち４２の外縁から垂下した部分は、奥側パネル５ａに取り付けられたバックハンガー４６の係合爪４６ａに摺動可能に差し込まれて係合されている。これにより、浴槽３は、静止時及びスライド移動時の両方において、洗い場床２側に傾くことがないように設計されている。
【００３８】
バスボード４は、図２及び図３に示すように、浴槽３と右側パネル５ｃとの間に確保された空間に配置されており、床ボード５０上に載置されている。
床ボード５０は、平面視矩形状に形成されており、浴槽３に固定されたサイドパネル４３と、右側パネル５ｃと、奥側パネル５ａとにそれぞれ側面が接しながら防水床パン１１に嵌合するようになっている。この際、床ボード５０の上面は、洗い場床２の上面から一段高くなるように設計されている。
なお、このように構成され床ボード５０は、浴槽３を右側にスライド移動させた場合には、浴槽３の左側に同様に設置することが可能とされている。
【００３９】
そして、この床ボード５０上にバスボード４が載置されている。このバスボード４は、天板パネル５１と、４つの脚部５２ａを有し、天板パネル５１を支持する支持体５２とを備えている。天板パネル５１は、平面視矩形状に形成されており、浴槽３と、右側パネル５ｃと、奥側パネル５ａとの間にほぼ隙間なく収まるサイズに形成されている。この際、天板パネル５１の上面と、浴槽３のかまち４２の上面とは、略面一になるように高さ調整されている。
このように構成されたバスボード４は、入浴時に入浴者が腰掛けたりする等、多目的なボードとして使用される。なお、このバスボード４は、浴槽３を右側にスライド移動させて、浴槽３の左側に床ボード５０を設置した場合には、同様に浴槽３の左側に設置することが可能とされている。
【００４０】
次に、このように構成された浴室１とする場合の手順について、説明する。
まず、浴槽３が取り外されている状態において、図９に示すように、防水床パン１１上に浴槽用スライドレール１２をセットする。すると、プレート体３１が、防水床パン１１の周壁部２１に嵌合して隙間無く密接するので、レール部３０の水平位置が固定され、防水床パン１１に対して位置決めされた状態になる。しかも、このときレール部３０は、防水床パン１１に予め形成されている床フラット面２３上に載置される。これにより、長尺なレール部３０の上面が、全長に亘って水平な状態に維持される。
【００４１】
このように、防水床パン１１上に浴槽用スライドレール１２を単にセットするだけの簡便な方法で、レール部３０をがたつかせることなく、しかも、レール部３０の上面が全長に亘って水平に維持されるように設置することができる。
【００４２】
そして、浴槽用スライドレール１２を設置した後、図１０に示すように、浴槽３の脚部４０をレール部３０上に載置して、該浴槽３を浴槽用スライドレール１２上にセットする。この際、浴槽３の脚部４０は、レール部３０の上面に摺動可能に載置されるので、浴槽３を持ち上げることなく長手方向に浴槽３をスライド移動させて、浴槽３の位置を所望する位置に容易且つ速やかに動かすことができる。しかも、レール部３０の上面は、全長に亘って水平であるので、浴槽３をスライド移動させる際に、浴槽高さを常に一定にした状態にすることができる。
【００４３】
ここでは、浴槽３をスライド移動させて左側に寄せておく。続いて、浴槽３と右側パネル５ｃとの間に開いた空間に床ボード５０を取り付けると共に、該床ボード５０上にバスボード４を載置する。
その結果、図１及び図２に示す浴室１とすることができる。特に、この浴室１では、浴槽３に隣接してバスボード４が設置されているので、入浴時にバスボード４に一旦腰掛けることが可能であり、非常に入浴し易い。
【００４４】
また、この浴室１を使用するにあたって、バスボード４が不要な場合には、図１１に示すように、バスボード４を取り外しても良い。こうすることで、浴槽３の右側に自由な空間を確保することができるので、該空間を入浴時の介助スペースとして利用することができる。
【００４５】
また、浴槽３の位置を変更する場合には、図１１に示す状態から床ボード５０を取り外した後、浴槽３を右側パネル５ｃ側にスライド移動させる。この際、上述したように、浴槽３を持ち上げることなく容易且つ速やかにスライド移動させることができる。しかも、浴槽高さも変化する恐れがない。そして、浴槽３の位置を変更した後、図１２に示すように床ボード５０を取り付ける。これにより、介助方向を変えながら入浴させることが可能となる。また、この場合において、図１３に示すように、床ボード５０上にバスボード４を載置することも可能である。
【００４６】
上述したように、本実施形態の浴室１によれば、浴槽用スライドレール１２を防水床パン１１上にセットするだけで、手間をかけることなく容易に浴槽３のスライド移動を実現することができるうえ、従来ある既存の浴槽や防水床パンをそのまま利用することができる。従って、低コストで浴槽３のスライド移動を実現することができると共に、従来のように大掛かりな改装が不要であるので、利便性に優れている。
【００４７】
また、レール部３０の上面が全長に亘って鏡面仕上げされているうえ、浴槽３の脚部４０側にも滑りプレート４１が取り付けられているので、レール部３０と浴槽３の脚部４０との摩擦抵抗を非常に低減させることができる。従って、浴槽３を滑らかにスライド移動させることができる。
【００４８】
更に、レール部３０の下面及びプレート体３１には、滑り止めシート３３が設けられているので、浴槽３のスライド移動時に外力が伝わってきたとしても、レール部３０及びプレート体３１は防水床パン１１に対して滑り難い。従って、浴槽３のスライド移動時に、浴槽用スライドレール１２ががたつき難くなる。よって、振動や異音等を発生させることなく、浴槽３をスライド移動させることができる。
加えて、滑り止めシート３３によって、レール部３０及びプレート体３１がそれぞれ床フラット面２３及び周壁部２１に直接接してしまうことを防止することができる。従って、防水床パン１１を傷等から保護することができ、防水床パン１１の品質を長期に亘って維持することができる。
【００４９】
なお、本発明の技術範囲は、上記実施形態に限定されるものではなく、本発明の趣旨を逸脱しない範囲において、種々の変更を加えることが可能である。
【００５０】
例えば、上記実施形態では、床ボード５０及びバスボード４をそれぞれ１つ備えた浴室１を例に挙げて説明したが、この場合に限定されず、浴槽３の両側にそれぞれ設置しても構わない。この場合において、浴槽３を右側或いは左側のいずれかにスライド移動させた際、床ボード５０及びバスボード４をそれぞれ２つ並べて浴槽３の横に設置すれば良い。
【００５１】
また、上記実施形態では、２本のレール部３０が床フラット面２３上に載置されるように浴槽用スライドレール１２を設計したが、この場合に限定されるものではない。
例えば、浴槽３の脚部４０の位置が床フラット面２３の略上方に位置しない場合には、床フラット面２３上に載置される載置部をレール部３０とは別に設け、該載置部をレール部３０に一体的に連結させれば良い。この場合であっても、載置部を介して浴槽用スライドレール１２を床フラット面２３上に載置できるので、レール部３０の上面を全長に亘って水平にさせることができる。従って、同様の作用効果を奏することができる。
また、この場合には、載置部及びプレート体３１に滑り止めシート３３を取り付ければ良い。
【００５２】
但し、上記実施形態のように、レール部３０が直接床フラット面２３上に載置されるように設計することで、構成の簡略化を図ることができ、浴槽用スライドレール１２の小型化、低コスト化を図ることができる。
【符号の説明】
【００５３】
Ｌ１…長手方向
Ｌ２…短手方向
１…浴室
３…浴槽
１１…防水床パン
１２…浴槽用スライドレール
２１…防水床パンの周壁部
２３…防水床パンの床フラット面（水平床面）
３０…レール部
３１…プレート体（密接部）
３３…滑り止めシート
４０…浴槽の脚部
４１…滑りプレート
【図１】
2010268890.tif 000003
【図２】
2010268890.tif 000004
【図３】
2010268890.tif 000005
【図４】
2010268890.tif 000006
【図５】
2010268890.tif 000007
【図６】
2010268890.tif 000008
【図７】
2010268890.tif 000009
【図８】
2010268890.tif 000010
【図９】
2010268890.tif 000011
【図１０】
2010268890.tif 000012
【図１１】
2010268890.tif 000013
【図１２】
2010268890.tif 000014
【図１３】
2010268890.tif 000015